(57)【要約】  この情報処理装置は、この情報処理装置は、テレビジョン受像機にデータを第１の伝送路を通じて伝送可能なデータ送信インタフェースと、前記テレビジョン受像機に要求を第２の伝送路を通じて送信可能な要求送信インタフェースと、前記テレビジョン受像機に第２の伝送路を通じて接続可能な第２のインタフェースと、イベントを検出し、検出したイベントに対応して前記テレビジョン受像機に実行させる制御を指示する制御情報を少なくとも含む要求を前記第２の伝送路を通じて前記テレビジョン受像機に送信するように制御を行う第１の制御部とを具備する。【選択図】図２
2017208839.tif 000002
【特許請求の範囲】
【請求項１】
テレビジョン受像機にデータを第１の伝送路を通じて伝送可能なデータ送信インタフェースと、
前記テレビジョン受像機に要求を第２の伝送路を通じて送信可能な要求送信インタフェースと、
イベントを検出し、検出したイベントに対応して前記テレビジョン受像機に実行させる制御を指示する制御情報を少なくとも含む要求を前記第２の伝送路を通じて前記テレビジョン受像機に送信するように制御を行う第１の制御部と
を具備する情報処理装置。
【請求項２】
請求項１に記載の情報処理装置であって、
前記第１の制御部は、
ユーザからの入力を受け付けることが可能な入力装置からの所定の入力を前記イベントとして検出し、前記第１の伝送路を通じて前記テレビジョン受像機に前記イベントに関連するデータを伝送するように制御し、前記データを前記テレビジョン受像機での入力切替制御により選択中のデータとともに表示させることを指示する制御情報を含む要求を前記第２の伝送路を通じて前記テレビジョン受像機に送信するように構成された
情報処理装置。
【請求項３】
請求項１に記載の情報処理装置であって、
前記第１の制御部は、
ユーザからの入力を受け付けることが可能な入力装置からの所定の入力を前記イベントとして検出し、前記検出したイベントに関連するデータと、このデータを前記テレビジョン受像機での入力切替制御により選択中のデータとともに表示させることを指示する制御情報を含む要求を前記第２の伝送路を通じて前記テレビジョン受像機に送信するように構成された
情報処理装置。
【請求項４】
請求項３に記載の情報処理装置であって、
前記イベントに関連するデータが、前記入力装置の操作に関するユーザインタフェース情報である
情報処理装置。
【請求項５】
請求項４に記載の情報処理装置であって、
前記第１の制御部は、
前記テレビジョン放送のチャンネルの切り替えに要する時間を前記第２の伝送路を通じて前記テレビジョン装置より取得し、
前記データと前記テレビジョン受像機での入力切替制御により選択中のデータとが前記テレビジョン装置において表示されているとき、前記入力装置からのチャンネル切り替えのための入力を前記イベントとして検出した場合、前記時間をもとに、前記チャンネル切り替えが実行される間、前記テレビジョン放送の表示が割り当てられている画面領域に所定のアニメーションを表示させることを指示する制御情報を含む要求を前記第２の伝送路を通じて前記テレビジョン装置に送信するように構成された
情報処理装置。
【請求項６】
請求項３に記載の情報処理装置であって、
前記情報処理装置から前記テレビジョン装置に前記第１の伝送路を通じて伝送されるデータがゲーム画像のデータを含み、
前記第１の制御部は、
前記テレビジョン受像機での入力切替制御により前記情報処理装置からの前記ゲーム画像が前記テレビジョン装置において表示されているとき、前記入力装置からテレビジョン放送のデータを子画面で表示するための所定の入力が前記イベントとして検出された場合、前記ゲームのプレイに最も影響しない位置に前記子画面を表示することを指示する制御情報を含む要求を前記第２の伝送路を通じて前記テレビジョン装置に送信するように構成された
情報処理装置。
【請求項７】
請求項３に記載の情報処理装置であって、
前記第１の制御部は、
前記情報処理装置の所定の第１の状態を前記イベントとして検出し、前記検出したイベントに関連するデータと、このデータを前記テレビジョン受像機での入力切替制御により選択中のデータとともに表示させることを指示する制御情報を含む要求を前記第２の伝送路を通じて前記テレビジョン受像機に送信するように構成された
情報処理装置。
【請求項８】
請求項３に記載の情報処理装置であって、
前記第１の制御部は、
前記情報処理装置の所定の第２の状態をイベントとして検出し、この検出結果をもとに前記テレビジョン受像機での入力切替制御により選択中のデータの表示サイズを変更することを指示する制御情報を含む要求を前記第２の伝送路を通じて前記テレビジョン受像機に送信するように構成された
情報処理装置。
【請求項９】
請求項３に記載の情報処理装置であって、
前記第１の制御部は、
前記情報処理装置の所定の第２の状態をイベントとして検出し、この検出結果をもとに前記テレビジョン受像機での入力切替制御により選択中のデータの音量を変更することを指示する制御情報を含む要求を前記第２の伝送路を通じて前記テレビジョン受像機に送信するように構成された
情報処理装置。
【請求項１０】
請求項３に記載の情報処理装置であって、
前記第１の制御部は、
前記テレビジョン装置の所定の第３の状態をイベントとして検出し、この検出結果をもとに前記テレビジョン受像機での入力切替制御により選択中のデータの表示サイズを変更することを指示する制御情報を含む要求を前記第２の伝送路を通じて前記テレビジョン受像機に送信するように構成された
情報処理装置。
【請求項１１】
請求項３に記載の情報処理装置であって、
前記第１の制御部は、
前記テレビジョン装置の所定の第３の状態をイベントとして検出し、この検出結果をもとに前記テレビジョン受像機での入力切替制御により選択中のデータの音量を変更することを指示する制御情報を含む要求を前記第２の伝送路を通じて前記テレビジョン受像機に送信するように構成された
情報処理装置。
【請求項１２】
データを第１の伝送路を通じて伝送可能なデータ送信インタフェースと、第２の伝送路を通じて要求を送信可能な要求送信インタフェースと、イベントを検出し、検出したイベントに対応して前記テレビジョン受像機に実行させる制御を指示する制御情報を少なくとも含む要求を前記第２の伝送路を通じて前記テレビジョン受像機に送信するように制御を行う第１の制御部とを具備する情報処理装置の前記データ送信インタフェースに対応するデータ受信インタフェースと、
前記情報処理装置の前記要求送信インタフェースに対応する要求受信インタフェースと、
前記受信した要求に含まれる前記制御情報に従って当該テレビジョン受像機の内部制御を行う第２の制御部と
を具備するテレビジョン受像機。
【請求項１３】
第１の制御部が、
テレビジョン受像機にデータを第１の伝送路を通じて伝送し、
イベントを検出したとき、検出したイベントに対応して前記テレビジョン受像機に実行させる制御を指示する制御情報を少なくとも含む要求を、第２の伝送路を通じて前記テレビジョン受像機に送信するように制御を行う
情報処理方法。
【請求項１４】
テレビジョン受像機にデータを第１の伝送路を通じて伝送し、イベントを検出したとき、検出したイベントに対応して前記テレビジョン受像機に実行させる制御を指示する制御情報を少なくとも含む要求を、第２の伝送路を通じて前記テレビジョン受像機に送信するように制御を行う第１の制御部
としてコンピュータを動作させるプログラム。
【請求項１５】
情報処理装置とテレビジョン受像機とを具備し、
前記情報処理装置は、
前記テレビジョン受像機にデータを第１の伝送路を通じて伝送可能なデータ送信インタフェースと、
前記テレビジョン受像機に要求を第２の伝送路を通じて送信可能な要求送信インタフェースと、
イベントを検出し、検出したイベントに対応して前記テレビジョン受像機に実行させる制御を指示する制御情報を少なくとも含む要求を前記第２の伝送路を通じて前記テレビジョン受像機に送信するように制御を行う第１の制御部と
を具備し、
前記テレビジョン受像機は、
前記情報処理装置の前記データ送信インタフェースに対応するデータ受信インタフェースと、
前記情報処理装置の前記要求送信インタフェースに対応する要求受信インタフェースと、
前記受信した要求に含まれる前記制御情報に従って当該テレビジョン受像機の内部制御を行う第２の制御部と
を具備する
情報処理システム。
【発明の詳細な説明】
【技術分野】
【０００１】
本技術は、例えばゲーム機、スマートホン、タブレット端末、パーソナルコンピュータなどの情報処理装置、情報処理装置を入力切替の対象機器として接続できるテレビジョン受像機、情報処理システムおよび情報処理プログラムに関する。
【背景技術】
【０００２】
テレビジョン受像機の画面を利用して、画像、音楽、放送、ゲーム、ウェブページなどを含む複数種類の電子コンテンツを再生可能な情報処理装置では、ユーザの入力装置として、基本的にはゲーム操作用のコントローラが用いられる。このようなゲーム操作用のコントローラをユーザに操作させて目的の情報処理まで情報処理装置を動作させるために、情報処理装置は操作メニュー画面など、目的とする処理までユーザを案内する画面のデータをテレビジョン受像機に出力して画面に表示させるように構成されている（例えば特許文献１参照）。【０００３】
また、テレビ受像機において、２つの入力経路によりデータを受信し、これらのデータから得られる画像を重ね合わせて表示する技術が知られている。特に特許文献２では、一方の入力経路を通じて入力される放送番組の画像と、ゲーム機からのゲーム画像とを１画面に合成して表示させることとされている。
【先行技術文献】
【特許文献】
【０００４】
【特許文献１】特表２０１６−５０４６４４公報
【特許文献２】特開２００３−０１８４６０号公報（段落００４６、図６）
【発明の概要】
【発明が解決しようとする課題】
【０００５】
情報処理装置と、この情報処理装置の処理結果を入力の１つとして切り替えて選択可能なテレビジョン受像機と、これらを接続する伝送路とで構成されるシステムを本明細書では「情報処理システム」と呼ぶこととする。このような情報処理システムでは、情報処理装置のデータ出力がテレビジョン受像機側での制御によって一方的に切り替えられることが可能な複数経路のデータ入力の１つにすぎず、このことに起因した様々な制約および課題が指摘されており、それらの解決が求められている。【０００６】
本技術の目的は、情報処理装置とテレビジョン受像機とが接続された情報処理システムの機能的な制約の軽減、その他の課題を解決することのできる情報処理装置、テレビジョン受像機、情報処理システムおよび情報処理プログラムを提供することにある。
【課題を解決するための手段】
【０００７】
上記の課題を解決するために、本技術に係る一形態の情報処理装置は、
テレビジョン受像機にデータを第１の伝送路を通じて伝送可能なデータ送信インタフェースと、
前記テレビジョン受像機に要求を第２の伝送路を通じて送信可能な要求送信インタフェースと、
イベントを検出し、検出したイベントに対応して前記テレビジョン受像機に実行させる制御を指示する制御情報を少なくとも含む要求を前記第２の伝送路を通じて前記テレビジョン受像機に送信するように制御を行う第１の制御部と
を具備する。
【発明の効果】
【０００８】
以上のように、本技術によれば、情報処理装置とテレビジョン受像機とが接続された情報処理システムにおける機能的な制約の軽減を図ることができ、その他の課題を解決することができる。
【図面の簡単な説明】
【０００９】
【図１】本技術に係る第１の実施形態の情報処理システム１の構成を示すブロック図である。
【図２】図１における情報処理装置１００のハードウェアの構成を示すブロック図である。
【図３】図１におけるテレビジョン受像機２００のハードウェアの構成を示すブロック図である。
【図４】図２の情報処理装置１００のＣＰＵ１０１の機能をブロック化して示した図である。
【図５】図３のテレビジョン受像機２００のＣＰＵ２０１の機能をブロック化して示す図である。
【図６】本実施形態の情報処理システム１における動作例１を示す図である。
【図７】本実施形態の情報処理システム１における動作例２を示す図である。
【図８】本実施形態の情報処理システム１における動作例３を示す図である。
【図９】本実施形態の情報処理システム１における動作例４を示す図である。
【図１０】本実施形態の情報処理システム１における動作例５を示す図である。
【図１１】本実施形態の情報処理システム１における動作例６を示す図である。
【発明を実施するための形態】
【００１０】
以下、本技術に係る実施形態を、図面を参照しながら説明する。
【００１１】
＜第１の実施形態＞
（情報処理システムの構成）
図１は、第１の実施形態の情報処理システム１の構成を示すブロック図である。
この実施形態の情報処理システム１は、主に情報処理装置１００と、テレビジョン受像機２００と、情報処理装置１００とテレビジョン受像機２００とを接続する２つの伝送路３０、４０で構成される。
【００１２】
情報処理装置１００は、例えば、ゲーム機、スマートホン、タブレット端末、パーソナルコンピュータなどであってよい。本実施形態では、テレビジョン受像機２００は、テレビジョン放送を受信して再生可能であるとともに、情報処理装置１００より伝送されるマルチメディアデータなどのデータを一方の伝送路３０を通じて受信し、表示させることが可能な装置である。
【００１３】
情報処理装置１００とテレビジョン受像機２００とを接続する２つの伝送路３０、４０のうち、一方の伝送路３０には、典型的には、ＨＤＭＩ（登録商標）（High-Definition Multimedia Interface）などのマルチメディアインタフェースが用いられる。以下、この伝送路を「第１の伝送路」と呼ぶ。情報処理装置１００からテレビジョン受像機２００へは、この第１の伝送路３０を通じて、画像データ、オーディオデータなどのマルチメディアデータが伝送される。
【００１４】
情報処理装置１００とテレビジョン受像機２００とを接続するもう一方の伝送路４０には、例えばネットワークインタフェースなどの通信インタフェースが用いられる。以下、この伝送路を「第２の伝送路４０」と呼ぶ。情報処理装置１００からテレビジョン受像機２００へは、この第２の伝送路４０を通じて、テレビジョン受像機２００のＣＰＵに実行させる制御を指示する制御情報を少なくとも含む要求が送信され、テレビジョン受像機２００から情報処理装置１００に要求に対する応答が送信される。
【００１５】
（情報処理装置１００のハードウェア構成）
図２は、情報処理装置１００のハードウェアの構成を示すブロック図である。
同図に示すように、情報処理装置１００は、ＣＰＵ（第１の制御部）１０１、ＲＯＭ１０２、フラッシュＲＯＭ１０３、ＲＡＭ１０４、データ送信インタフェース１０５、要求送信インタフェース１０７、ストレージ１０８、コントローラインタフェース１０９およびシステムバス１１０などを有する。
【００１６】
ＣＰＵ（Central Processing Unit）１０１は、ＲＯＭ１０２、フラッシュＲＯＭ１０３、ＲＡＭ１０４などに格納された例えばオペレーティングシステムおよびアプリケーションプログラムなどのプログラムを実行して、情報処理装置１００の制御のための演算処理を行う。
【００１７】
ＲＯＭ１０２（Read Only Memory）は、情報処理装置１００の各ハードウェアを制御するプログラムおよびデータなどが固定的に格納されたメモリである。
【００１８】
フラッシュＲＯＭ１０３は、情報処理装置１００の外部記憶の一部として用いられるメモリである。
【００１９】
ＲＡＭ１０４（Random Access Memory）は、ＣＰＵ１０１によって解釈して実行されるプログラムなどが保持されるとともに、ＣＰＵ１０１による演算処理のための作業領域を提供するメモリである。
【００２０】
データ送信インタフェース１０５は、情報処理装置１００からテレビジョン受像機２００に第１の伝送路３０を通じて例えばゲームの画像データおよびオーディオデータなどのマルチメディアデータを送信する伝送処理デバイスである。
【００２１】
要求送信インタフェース１０７は、テレビジョン受像機２００に第２の伝送路４０を通じて要求を送信したり、テレビジョン受像機２００から応答を受信したりする通信処理デバイスである。
【００２２】
ストレージ１０８は、情報処理装置１００で実行される情報処理に用いられるプログラムおよびデータ、さらには、情報処理装置１００からテレビジョン受像機２００に伝送される各種のデータなどが格納される。
【００２３】
コントローラインタフェース１０９は、本情報処理装置１００を操作するためのコントローラ（入力装置）２０とのインタフェースである。コントローラインタフェース１０９はコントローラ２０と光や電波などを通信媒体とした通信を行う。
【００２４】
システムバス１１０は、ＣＰＵ１０１と上記の各部とを接続するための伝送路である。
【００２５】
図３は、テレビジョン受像機２００のハードウェアの構成を示すブロック図である。
同図に示すように、テレビジョン受像機２００は、ＣＰＵ２０１（第２のＣＰＵ）、ＲＯＭ２０２、フラッシュＲＯＭ２０３、ＲＡＭ２０４、放送受信部２０５、データ受信インタフェース２０６、要求受信インタフェース２０７、ストレージ２０８、表示制御部２０９、ディスプレイ部２１０、ＴＶリモコンインタフェース２１１およびシステムバス２１２などを有する。
【００２６】
ＣＰＵ２０１は、ＲＯＭ２０２、フラッシュＲＯＭ２０３、ＲＡＭ２０４などに格納された例えばオペレーティングシステムおよびアプリケーションプログラムなどのプログラムを実行して、テレビジョン受像機２００の制御のための演算処理を行う。
【００２７】
ＲＯＭ２０２は、テレビジョン受像機２００の各ハードウェアを制御するプログラムおよびデータなどが固定的に格納されたメモリである。
【００２８】
フラッシュＲＯＭ２０３は、テレビジョン受像機２００の外部記憶の一部として用いられるメモリである。
【００２９】
ＲＡＭ２０４は、ＣＰＵ２０１によって解釈して実行されるプログラムなどが保持されるとともに、ＣＰＵ２０１による演算処理のための作業領域を提供するメモリである。
【００３０】
放送受信部２０５は、例えば、地上デジタルテレビジョン放送、ＣＳデジタル放送、ＢＳデジタル放送、携帯機器向け地上デジタルテレビジョン放送など、放送局６０からの放送波を受信し、ビデオ信号及びオーディオ信号の復調などを行う。
【００３１】
データ受信インタフェース２０６は、情報処理装置１００から第１の伝送路３０を通じて伝送された例えばゲームの画像データおよびオーディオデータなどのマルチメディアデータを受信する伝送処理デバイスである。
【００３２】
なお、このテレビジョン受像機２００には、同様のデータ受信インタフェース２０６が複数設けられていてもよい。各々のデータ受信インタフェース２０６には、情報処理装置１００の他、例えば、録画装置、メディア再生装置など、マルチメディアデータなどのデータを伝送する装置が接続可能とされている。複数のデータ受信インタフェース２０６に各々接続された装置から伝送される各データおよび放送受信部２０５により受信されたテレビジョン放送は、例えばユーザがＴＶリモコン７０を操作することによって与えられる入力切替情報をもとにＣＰＵ２０１によって切り替えられる。
【００３３】
要求受信インタフェース２０７は、情報処理装置１００から第２の伝送路４０を通じて送信された要求を受信したり、情報処理装置１００から第２の伝送路４０を通じて応答を送信したりする通信処理デバイスである。
【００３４】
ストレージ１０８は、例えばテレビジョン放送などを録画するためのデータ保存領域などとして用いられる。
【００３５】
表示制御部２０９は、放送受信部２０５にて受信されたテレビジョン放送、情報処理装置１００などの外部装置より伝送されたデータなどをディスプレイ部２１０に表示させるための制御を行う。
【００３６】
ディスプレイ部２１０は、表示制御部２０９から供給される表示情報を可視化して出力する、例えば、ＬＣＤ（Liquid Crystal Display）、ＯＬＥＤ（Organic Light-Emitting Diode）ディスプレイなどの表示デバイスである。
【００３７】
ＴＶリモコンインタフェース２１１は、テレビジョン受像機２００を遠隔操作するためのＴＶリモコン７０とのインタフェースである。ＴＶリモコンインタフェース２１１はＴＶリモコン７０と光や電波などを通信媒体とした通信を行う。
【００３８】
システムバス２１２は、ＣＰＵ２０１と上記の各部とを接続するための伝送路である。
【００３９】
なお、図示は省略したが、テレビジョン受像機２００には、放送受信部２０５にて受信された放送信号から復調および復号されたオーディオデータおよび情報処理装置１００などの外部装置より伝送されたオーディオデータを音声出力する機能も設けられている。
【００４０】
（情報処理装置１００における要求の生成）
本実施形態の情報処理システム１において、情報処理装置１００のＣＰＵ１０１は、イベントを検出し、検出したイベントに対応してテレビジョン受像機２００に実行させる制御を指示する制御情報を少なくとも含む要求を第２の伝送路４０を通じてテレビジョン受像機２００に送信するように構成される。また、テレビジョン受像機２００のＣＰＵ２０１は、情報処理装置１００より第２の伝送路４０を通じて受信した要求に含まれる制御情報に従ってテレビジョン受像機２００の内部制御を行うように構成される。
【００４１】
まず、情報処理装置１００のＣＰＵ１０１のもつ機能について説明する。
図４は、情報処理装置１００のＣＰＵ１０１の機能をブロック化して示した図である。
【００４２】
同図に示すように、情報処理装置１００のＣＰＵ１０１は、イベントキー入力判定部１２０および状態監視部１３０として動作し、さらには、ＴＶ制御アプリケーションによってＴＶ制御部１４０として動作する。
【００４３】
イベントキー入力判定部１２０は、コントローラ２０の所定のキー操作をイベントとして検出し、そのイベント情報をＴＶ制御部１４０に通知する。
【００４４】
状態監視部１３０は、情報処理装置１００内に所定の状態が発生したことをイベントとして検出し、検出したイベント情報をＴＶ制御部１４０に通知する。状態監視部１３０は、より具体的には、例えば、情報処理装置１００がゲーム機である場合、ゲームのプレイ状態、新規のゲームのプログラムデータやそのアップロードデータなどのダウンロード状態（待ち時間、ダウンロード済み／残り容量割合、ダウンロード完了など）、オンラインゲームを一緒にプレイする他のユーザであるフレンドのログイン状態などを監視し、ＴＶ制御部１４０にそれらの状態に対応したイベントを通知する。
【００４５】
ＴＶ制御部１４０は、情報処理装置１００がテレビジョン受像機２００の制御を行うことを可能とするために情報処理装置１００にインストールされたＴＶ制御アプリケーションプログラムによって構成される。ＴＶ制御部１４０は、イベントキー入力判定部１２０および状態監視部１３０から通知されたイベント情報の種類に対応してテレビジョン受像機２００に実行させる制御を指示する制御情報を少なくとも含む要求を生成し、第２の伝送路４０を通じてテレビジョン受像機２００に送信するように制御を行う。なお、イベント情報の種類によっては、テレビジョン受像機２００に送信される要求に、テレビジョン受像機２００に表示させるデータ、そのデータの表示位置、表示サイズなどの情報が含まれる。
【００４６】
次に、テレビジョン受像機２００のＣＰＵ２０１の機能について説明する。
図５は、テレビジョン受像機２００のＣＰＵ２０１の機能をブロック化して示す図である。
【００４７】
同図に示すように、テレビジョン受像機２００のＣＰＵ２０１は、要求処理部２２０と複数の内部制御部２３０として動作する。内部制御部２３０は、ユーザ操作に対応した複数の制御実行部で構成され、例えば、チャンネル切替を行う制御部、音量制御を行う制御部、２画面表示のための制御を行う制御部、入力切替を制御する制御部などを含む。要求処理部２２０は、情報処理装置１００から第２の伝送路４０を通じて送信された要求を受け取り、その要求に含まれる制御情報が指示する制御を担う１以上の内部制御部２３０に対して制御実行を指示する。
【００４８】
要求処理部２２０は、例えば、ＷｅｂＡＰＩ（Web Application Program Interface）やソケット（Soket）などを用いて構成され得る。
【００４９】
［情報処理システム１の動作］
次に、本実施形態の情報処理システム１において情報処理装置１００からテレビジョン受像機２００を制御する場合の動作例を説明する。
【００５０】
（動作例１）
図６は、本実施形態の情報処理システム１における動作例１を示す図である。
情報処理装置１００が接続されたデータ受信インタフェース２０６がテレビジョン受像機２００の入力としてユーザによってＴＶリモコン７０を使って選択されることにより、情報処理装置１００から第１の伝送路３０を通じて、ホーム画面、メニュー画面などの情報処理装置１００のユーザインタフェース３０１のデータがテレビジョン受像機２００に伝送され、テレビジョン受像機２００のディスプレイ部２１０に表示される。このとき表示されるユーザインタフェース３０１には、情報処理装置１００からテレビジョン受像機２００を制御するためのＴＶ制御部１４０の起動の選択を受け付けるためのＴＶ制御選択オブジェクト３０３などが含まれる。
【００５１】
テレビジョン受像機２００のディスプレイ部２１０に表示されたユーザインタフェース３０１で、ユーザによって情報処理装置１００のコントローラ２０を使ってＴＶ制御選択オブジェクト３０３が選択されると、情報処理装置１００のＣＰＵ１０１はＴＶ制御部１４０を起動させる。
【００５２】
ＣＰＵ１０１は、起動されたＴＶ制御部１４０を用いて次のように動作する。
まず、自身（情報処理装置１００）の認証情報を含むログイン要求を第２の伝送路４０を通じてテレビジョン受像機２００に送信する。情報処理装置１００のＣＰＵ１０１は、テレビジョン受像機２００よりログイン成功の応答を受けると、テレビジョン受像機２００の入力を、情報処理装置１００が接続されたデータ受信インタフェース２０６からテレビジョン放送に切り替えることを指示するための制御情報を含む要求を第２の伝送路４０を通じてテレビジョン受像機２００に送信するように制御を行う。
【００５３】
一方、テレビジョン受像機２００のＣＰＵ２０１は、第２の伝送路４０を通じて受信した要求に含まれる制御情報に従って、テレビジョン受像機２００の入力を、情報処理装置１００が接続されたデータ受信インタフェース２０６からテレビジョン放送に切り替えるように制御を行う。これによって、ディスプレイ部２１０の表示が、情報処理装置１００から提供されたユーザインタフェース３０１から、例えばテレビジョン受像機２００で最後に選局されていたチャンネルのテレビジョン放送３０５に切り替わる。
【００５４】
この後、例えば、テレビジョン放送の受信チャンネルを切り替えたい場合、ユーザは情報処理装置１００のコントローラ２０の例えば上下ボタンなどを操作すればよい。情報処理装置１００のＣＰＵ１０１は、コントローラ２０の上下ボタンなどの操作を検出すると、テレビジョン受像機２００に対して受信チャンネルの切り替えを指示する制御情報を含む要求を生成し、この要求を第２の伝送路４０を通じてテレビジョン受像機２００に送信する。
【００５５】
テレビジョン受像機２００のＣＰＵ２０１は、第２の伝送路４０を通じて受信した要求に含まれる制御情報に従ってテレビジョン受像機２００の受信チャンネルを切り替えるように制御を行う。
【００５６】
その他、情報処理装置１００のコントローラ２０において、例えばテレビジョン受像機２００の入力切替、音量変更といった他の機能が割り当てられたボタンがユーザによって操作された場合においても同様に、情報処理装置１００からテレビジョン受像機２００に第２の伝送路４０を通じて、その操作に割り当てられた制御の実行をテレビジョン受像機２００に指示する制御情報を含む要求が送信され、テレビジョン受像機２００のＣＰＵ２０１によってその制御が実行される。
【００５７】
このように本実施形態の情報処理システム１では、情報処理装置１００のコントローラ２０の操作によって情報処理装置１００からテレビジョン受像機２００に第２の伝送路４０に通じてテレビジョン受像機２００に実行させる制御を指示する制御情報を含む要求が送信され、テレビジョン受像機２００がこの要求に含まれる制御情報に従って制御を実行するように構成されている。これにより情報処理装置１００のコントローラ２０の操作によってテレビジョン受像機２００を高い自由度で制御することができる。
【００５８】
次に、情報処理装置１００のコントローラ２０において２画面表示のためのボタン（例えば□（四角）ボタンなど）がユーザによって操作された場合を説明する。
【００５９】
情報処理装置１００のＣＰＵ１０１は、コントローラ２０の２画面表示のための□ボタンの操作を検出すると、その２画面表示の一方の画面に表示させるデータを情報処理装置１００から第１の伝送路３０を通じてテレビジョン受像機２００に送信する。また、情報処理装置１００のＣＰＵ１０１は、情報処理装置１００から第１の伝送路３０を通じて送信されるデータとテレビジョン受像機２００における入力切替制御によって選択中のデータとを合成して２画面表示として表示させることを指示する制御情報を含む要求を生成し、この要求を第２の伝送路４０を通じてテレビジョン受像機２００に送信するように制御を行う。
【００６０】
なお、このとき、情報処理装置１００がテレビジョン受像機２００に第１の伝送路３０を通じて伝送するデータは、情報処理装置１００のコントローラ２０を用いて操作されるユーザインタフェースの他、情報処理装置１００のコントローラ２０を使ったテレビジョン受像機２００の操作方法を示す操作ガイドなどであってよい。操作ガイドとは、具体的には、情報処理装置１００のコントローラ２０を用いて例えばチャンネル切替、入力切替、音量変更、２画面表示、選択画面の最大化（フル画面表示）、選択画面の最小化などの各種操作を行う方法をユーザに案内するための文言や画像などのデータである。
【００６１】
テレビジョン受像機２００のＣＰＵ２０１は、第２の伝送路４０を通じて要求を受信すると、この要求に含まれる制御情報に従って、情報処理装置１００から第１の伝送路３０を通じてテレビジョン受像機２００に伝送されたデータ３０７とテレビジョン受像機２００における入力切替制御によって選択中のデータ３０８とを合成して２画面表示の形態３０９で表示するように制御を行う。
【００６２】
このように本実施形態の情報処理システム１では、情報処理装置１００のＣＰＵ１０１が、２画面表示の一方の画面に表示させるデータ３０７を第１の伝送路３０を通じてテレビジョン受像機２００に伝送し、テレビジョン受像機２００のＣＰＵ２０１が、情報処理装置１００から第２の伝送路４０を通じて送信される要求に含まれる制御情報に従って、情報処理装置１００から伝送されたデータ３０７とテレビジョン受像機２００における入力切替制御によって選択中のデータ３０９とを合成して２画面表示の形態３０９で表示する。これにより、情報処理装置１００のコントローラ２０の操作によって、随時テレビジョン受像機２００に、情報処理装置１００のコントローラ２０を用いて操作されるユーザインタフェースや操作ガイドなどのデータ３０７を表示させることができる。
【００６３】
これに対し、情報処理装置１００とテレビジョン受像機２００とをＨＤＭＩ（登録商標）インタフェースのみで接続した典型的なシステム構成においてもユーザインタフェースとテレビジョン放送とを合成して表示させる機能を実現することは可能である。しかしながら、この典型例では、情報処理装置１００のＣＰＵ１０１がユーザインタフェースとテレビジョン放送のデータとを合成したデータを、ＨＤＭＩ（登録商標）インタフェースを通じてテレビジョン受像機２００に伝送し、表示させるといったものになる。この場合、情報処理装置１００からテレビジョン受像機２００に伝送されるデータは、テレビジョン受像機２００から見て入力切替の対象とされる一入力にすぎないため、テレビジョン受像機２００のＴＶリモコン７０の操作によって他のデータへの入力切替が発生すると、ユーザインタフェースの操作環境が使用不可となり、再度入力を戻すためにはテレビジョン受像機２００のＴＶリモコン７０を操作しなければならない。
【００６４】
本実施形態の情報処理システム１によれば、情報処理装置１００から第１の伝送路３０を通じてテレビジョン受像機２００に伝送されたデータ３０７とテレビジョン受像機２００における入力切替制御によって選択中のデータ３０８の２画面が表示されているとき、テレビジョン受像機２００のＴＶリモコン７０によってテレビジョン放送への入力切替の操作が行われてテレビジョン放送のみの表示に切り替わったとしても、情報処理装置１００のコントローラ２０に対して再度２画面表示のためのボタンの操作がされることによって２画面の表示に戻すことができる。
【００６５】
（動作例２）
図７は、本実施形態の情報処理システム１における動作例２を示す図である。
本動作例２は、情報処理装置１００からテレビジョン受像機２００に第２の伝送路４０を通じて、データと、このデータをテレビジョン受像機２００における入力切替制御によって選択中のデータに重畳して表示させることを指示する制御情報を含む要求を送信する場合の動作である。
【００６６】
ユーザによって情報処理装置１００のコントローラ２０の例えば△ボタンなどが操作されたこととする。この場合、情報処理装置１００のＣＰＵ１０１は、データと、このデータをテレビジョン受像機２００における入力切替制御によって選択中のデータに重畳して表示させることを指示する制御情報を含む要求を生成し、この要求を第２の伝送路４０を通じてテレビジョン受像機２００に送信するように制御を行う。すなわち、動作例１と相違する点は、テレビジョン受像機２００にデータを第１の伝送路３０ではなく第２の伝送路４０で伝送する点にある。
【００６７】
テレビジョン受像機２００のＣＰＵ２０１は、第２の伝送路４０を通じて受信した当該要求に含まれる制御情報に従って、この要求に含まれるデータ４０１を、テレビジョン受像機２００における入力切替制御によって選択中のデータ４０２に重畳して表示するように制御を行う。
【００６８】
ここで、テレビジョン受像機２００における入力切替制御によって選択中のデータ４０２に重畳して表示されるデータ４０１は、例えば、動作例１の場合と同様に、情報処理装置１００のコントローラ２０を用いて操作されるユーザインタフェースや操作ガイドなどのデータであってよい。
【００６９】
これにより、ユーザは、例えばテレビジョン受像機２００における入力切替制御によって選択中のデータ例えばテレビジョン放送や他の外部から伝送されたデータ４０２などの視聴中に、そのデータ４０２に重畳して表示された操作ガイドなどのデータ４０１を確認しながら、情報処理装置１００のコントローラ２０を用いてテレビジョン受像機２００の操作を行うことができる。
【００７０】
（動作例３）
図８は、本実施形態の情報処理システム１における動作例３を示す図である。
本動作例３は、ＣＰＵ１０１によって情報処理装置１００内で所定の状態が発生したことをイベントとして検出し、情報処理装置１００からテレビジョン受像機２００に第２の伝送路４０を通じて、そのイベントに関するデータと、このデータをテレビジョン受像機２００における入力切替制御によって選択中のデータに重畳して表示させることを指示する制御情報を含む要求を送信する場合の動作である。
【００７１】
情報処理装置１００のＣＰＵ１０１は、情報処理装置１００内の状態を監視し、所定の状態が発生したことをイベントとして検出する。情報処理装置１００のＣＰＵ１０１は、イベントを検出すると、検出したイベントに関するデータと、このデータをテレビジョン受像機２００における入力切替制御によって選択中のデータに重畳して表示させることを指示する制御情報を含む要求を生成し、この要求を第２の伝送路４０を通じてテレビジョン受像機２００に送信するように制御を行う。
【００７２】
テレビジョン受像機２００のＣＰＵ２０１は、第２の伝送路４０を通じて受信した当該要求に含まれる制御情報に従って、この要求に含まれるイベントに関するデータ５０１を、テレビジョン受像機２００にて表示中のテレビジョン放送などのデータ５０２に重畳して表示するように制御を行う。
【００７３】
ここで、テレビジョン放送のデータ５０２に重畳して表示されるイベントに関するデータ５０１とは、そのイベントの内容をユーザに提示するための情報である。イベントに関するデータは、具体的には、ゲームのプレイ状態、新規のゲームのプログラムデータやそのアップロードデータなどのダウンロード状態（待ち時間、ダウンロード済み／残り容量割合、ダウンロード完了など）、プログラムのインストール状態、オンラインゲームを一緒にプレイする他のユーザであるフレンドのログインの有無やログイン数などのフレンド状態である。これにより、ユーザは、テレビジョン受像機２００のディスプレイ部２１０において、例えば、テレビジョン放送や外部機器から伝送されるデータの視聴中に発生した、上記の各種のイベントの発生を認識することができる。
【００７４】
例えば、表示されたイベントに関するデータが、新規のゲームのプログラムデータのインストール完了である場合には、そのイベントに関するデータの表示をもって、新規のゲームのプレイを開始できることをユーザに認識させることができる。同様に、フレンド状態に関して表示されたイベントに関するデータをもとに、ユーザはオンラインゲームを開始するかどうかを判断することができる。すなわち、ユーザが期待する状態になるまで、
テレビジョン放送や外部機器から伝送されるデータを視聴しながら待機することができる。
【００７５】
（動作例４）
図９は、本実施形態の情報処理システム１における動作例４を示す図である。
動作例４では、情報処理装置１００のＣＰＵ１０１が、テレビジョン受像機２００からチャンネル切替に要する時間の切替時間情報の取得要求を行うことによって、そのチャンネル切替時間の情報を取得し、保存する。チャンネル切替に要する時間とは、テレビジョン受像機２００においてテレビジョン放送のチャンネルが表示上切り替わるために要する時間である。この時間は、主にテレビジョン受像機２００の仕様毎に異なる。なお、チャンネル切替時間の情報を取得する処理は、例えば、情報処理装置１００内のＴＶ制御部１４０が起動される毎に、あるいは新しいテレビジョン受像機２００が接続される毎に行わればよい。
【００７６】
いま、テレビジョン受像機２００には、情報処理装置１００から第１の伝送路３０を通じて伝送されたユーザインタフェースのデータ３０７とテレビジョン受像機２００における入力切替制御によって選択中のデータ３０８の２画面が表示されていることとする。
【００７７】
情報処理装置１００のコントローラ２０の例えば上下ボタンの操作など、受信チャンネルの切り替えを指示する操作がユーザによって行われると、情報処理装置１００のＣＰＵ１０１は、チャンネルの切替を指示するとともにテレビジョン受像機２００においてチャンネルの切り替えが実行される間、テレビジョン放送の表示が割り当てられている画面領域に所定のアニメーションを表示させるための制御情報を少なくとも含む要求を生成する。この際、情報処理装置１００のＣＰＵ１０１は、保存されているチャンネル切替時間の情報をもとに最適なアニメーション表示時間を算出して制御情報を生成する。そして、情報処理装置１００のＣＰＵ１０１は、生成された要求を第２の伝送路４０を通じてテレビジョン受像機２００に送信する。
【００７８】
テレビジョン受像機２００のＣＰＵ２０１は、第２の伝送路４０を通じて要求を受信すると、この要求に含まれる制御情報に従って、チャンネルの切り替えと、このチャンネルの切り替えが実行される間のアニメーション表示３１０を実行する。
【００７９】
これにより、テレビジョン受像機２００においてチャンネルが切り替えられるまでの待ち時間をアニメーション表示によって体感的に縮める効果を期待できる。
【００８０】
（動作例５）
図１０は、本実施形態の情報処理システム１における動作例５を示す図である。
動作例５では、情報処理装置１００から第１の伝送路３０を通じて伝送されるゲームデータがテレビジョン受像機２００において入力切替制御によって選択されて表示されているときに、情報処理装置１００のコントローラ２０において２画面表示のための□ボタンがユーザによって操作された場合の動作例である。
【００８１】
情報処理装置１００のＣＰＵ１０１は、リモコンの当該２画面表示のための□ボタンの操作を検出すると、テレビジョン受像機２００の画面にゲーム画面６０２とともに表示させる小画面６０１の位置およびサイズを算出する。ここで、小画面６０１にはテレビジョン受像機２００において選局中のテレビジョン放送など、情報処理装置１００からのデータ以外のデータが表示される。情報処理装置１００のＣＰＵ１０１は、小画面６０１の位置およびサイズを算出するにあたって、ゲームのプレイ上、空間的に最も邪魔になりない領域を算出して、この領域内に小画面６０１を設定する。
【００８２】
ゲームのプレイ上、空間的に最も邪魔になりない領域とは、具体的には、ゲーム上の背景像のみで構成される領域など、プレイへの影響が最も少ない領域などである。多くの場合、画面の中央部分以外にそのような領域が存在するので、情報処理装置１００のＣＰＵ１０１は、画面の中央部分以外の領域内に一意に小画面６０１を設定してもよい。あるいは、ゲームのプログラムからプレイへの影響が最も少ない領域の情報をＣＰＵ１０１が取得して小画面６０１の位置とサイズを算出してもよい。あるいは、小画面６０１の位置はユーザにより随時選択可能であってもよい。
【００８３】
（動作例６）
図１１は、本実施形態の情報処理システム１における動作例６を示す図である。
動作例６は、例えば動作例５に続いて、テレビジョン受像機２００に表示中のテレビジョン放送の小画面６０１のサイズおよび音量を、情報処理装置１００およびテレビジョン受像機２００の状態に応じて変更する場合の動作例である。
【００８４】
情報処理装置１００のＣＰＵ１０１は、テレビジョン受像機２００の状態の取得するための要求を第２の伝送路４０を通じてテレビジョン受像機２００に送信する。テレビジョン受像機２００のＣＰＵ２０１は、この要求に対して、特定の状態になった場合にその状態を情報処理装置１００に第２の伝送路４０を通じて応答する。例えば、テレビジョン受像機２００のＣＰＵ２０１は、コマーシャルなどになったとき、この状態を情報処理装置１００に応答する。その他、テレビジョン受像機２００にユーザにより予め設定された嗜好情報をもとに、ユーザの好みのシーンになったことを情報処理装置１００に応答してもよい。
【００８５】
情報処理装置１００のＣＰＵ１０１は、テレビジョン受像機２００より応答された状態をもとに、表示中の小画面６０１のサイズあるいは音量、あるいはその両方の変更を指示する制御情報を含む要求をテレビジョン受像機２００に第２の伝送路４０を通じて取得する。例えば、コマーシャルの時間において小画面６０１のサイズを小さくしたり、テレビジョン放送の音量を小さくしたりするように制御を行う。あるいは、ユーザの好みのシーンになったとき、小画面６０１のサイズを大きくしたり、テレビジョン放送の音量を大きくしたりしてもよい。
【００８６】
また、情報処理装置１００のＣＰＵ１０１は、プレイ中のゲームの状態を監視し、例えば、ゲームのプログラムのダウンロード中など、ゲームの邪魔にならない期間は、小画面６０１のサイズを大きくしたり、テレビジョン放送の音量を大きくしたりすることを指示する制御情報を含む要求をテレビジョン受像機２００に通じて送信してもよい。
【００８７】
＜変形例＞
上記の実施形態では、情報処理装置１００とテレビジョン受像機２００とを接続するために、ＨＤＭＩ（登録商標）などのマルチメディアインタフェースによる第１の伝送路３０と、ネットワークインタフェースなどの通信インタフェースによる第２の伝送路４０を用いた。
【００８８】
その変形例として、ＨＤＭＩ（登録商標）などのマルチメディアインタフェースや通信インタフェース、あるいはその他の方式のインタフェースによる一の伝送路つまり物理的に１つの伝送路により、画像データ、オーディオデータなどのマルチメディアデータの伝送と、制御情報を少なくとも含む要求やその応答の送受信を行う構成がある。
【００８９】
本技術は以下のような構成もとることができる。
（１）テレビジョン受像機にデータを第１の伝送路を通じて伝送可能なデータ送信インタフェースと、
前記テレビジョン受像機に要求を第２の伝送路を通じて送信可能な要求送信インタフェースと、
イベントを検出し、検出したイベントに対応して前記テレビジョン受像機に実行させる制御を指示する制御情報を少なくとも含む要求を前記第２の伝送路を通じて前記テレビジョン受像機に送信するように制御を行う第１の制御部と
を具備する情報処理装置。
【００９０】
（２）上記（１）に記載の情報処理装置であって、
前記第１の制御部は、
ユーザからの入力を受け付けることが可能な入力装置からの所定の入力を前記イベントとして検出し、前記第１の伝送路を通じて前記テレビジョン受像機に前記イベントに関連するデータを伝送するように制御し、前記データを前記テレビジョン受像機での入力切替制御により選択中のデータとともに表示させることを指示する制御情報を含む要求を前記第２の伝送路を通じて前記テレビジョン受像機に送信するように構成された
情報処理装置。
【００９１】
（３）上記（１）に記載の情報処理装置であって、
前記第１の制御部は、
ユーザからの入力を受け付けることが可能な入力装置からの所定の入力を前記イベントとして検出し、前記検出したイベントに関連するデータと、このデータを前記テレビジョン受像機での入力切替制御により選択中のデータとともに表示させることを指示する制御情報を含む要求を前記第２の伝送路を通じて前記テレビジョン受像機に送信するように構成された
情報処理装置。
【００９２】
（４）上記（２）または（３）に記載の情報処理装置であって、
前記イベントに関連するデータが、前記入力装置の操作に関するユーザインタフェース情報である
情報処理装置。
【００９３】
（５）上記（１）ないし（４）のいずれかに記載の情報処理装置であって、
前記第１の制御部は、
前記テレビジョン放送のチャンネルの切り替えに要する時間を前記第２の伝送路を通じて前記テレビジョン装置より取得し、
前記データと前記テレビジョン受像機での入力切替制御により選択中のデータとが前記テレビジョン装置において表示されているとき、前記入力装置からのチャンネル切り替えのための入力を前記イベントとして検出した場合、前記時間をもとに、前記チャンネル切り替えが実行される間、前記テレビジョン放送の表示が割り当てられている画面領域に所定のアニメーションを表示させることを指示する制御情報を含む要求を前記第２の伝送路を通じて前記テレビジョン装置に送信するように構成された
情報処理装置。
【００９４】
（６）上記（１）ないし（３）のいずれかに記載の情報処理装置であって、
前記情報処理装置から前記テレビジョン装置に前記第１の伝送路を通じて伝送されるデータがゲーム画像のデータを含み、
前記第１の制御部は、
前記テレビジョン受像機での入力切替制御により前記情報処理装置からの前記ゲーム画像が前記テレビジョン装置において表示されているとき、前記入力装置からテレビジョン放送のデータを子画面で表示するための所定の入力が前記イベントとして検出された場合、前記ゲームのプレイに最も影響しない位置に前記子画面を表示することを指示する制御情報を含む要求を前記第２の伝送路を通じて前記テレビジョン装置に送信するように構成された
情報処理装置。
【００９５】
（７）上記（１）ないし（３）のいずれかに記載の情報処理装置であって、
前記第１の制御部は、
前記情報処理装置の所定の第１の状態を前記イベントとして検出し、前記検出したイベントに関連するデータと、このデータを前記テレビジョン受像機での入力切替制御により選択中のデータとともに表示させることを指示する制御情報を含む要求を前記第２の伝送路を通じて前記テレビジョン受像機に送信するように構成された
情報処理装置。
【００９６】
（８）上記（１）ないし（３）のいずれかに記載の情報処理装置であって、
前記第１の制御部は、
前記情報処理装置の所定の第２の状態をイベントとして検出し、この検出結果をもとに前記テレビジョン受像機での入力切替制御により選択中のデータの表示サイズを変更することを指示する制御情報を含む要求を前記第２の伝送路を通じて前記テレビジョン受像機に送信するように構成された
情報処理装置。
【００９７】
（９）上記（１）ないし（３）のいずれかに記載の情報処理装置であって、
前記第１の制御部は、
前記情報処理装置の所定の第２の状態をイベントとして検出し、この検出結果をもとに前記テレビジョン受像機での入力切替制御により選択中のデータの音量を変更することを指示する制御情報を含む要求を前記第２の伝送路を通じて前記テレビジョン受像機に送信するように構成された
情報処理装置。
【００９８】
（１０）上記（１）ないし（３）のいずれかに記載の情報処理装置であって、
前記第１の制御部は、
前記テレビジョン装置の所定の第３の状態をイベントとして検出し、この検出結果をもとに前記テレビジョン受像機での入力切替制御により選択中のデータの表示サイズを変更することを指示する制御情報を含む要求を前記第２の伝送路を通じて前記テレビジョン受像機に送信するように構成された
情報処理装置。
【００９９】
（１１）上記（１）ないし（３）のいずれかに記載の情報処理装置であって、
前記第１の制御部は、
前記テレビジョン装置の所定の第３の状態をイベントとして検出し、この検出結果をもとに前記テレビジョン受像機での入力切替制御により選択中のデータの音量を変更することを指示する制御情報を含む要求を前記第２の伝送路を通じて前記テレビジョン受像機に送信するように構成された
情報処理装置。
【０１００】
さらに、次のような構成を採用することも可能である。
（１２）伝送路を通じて、テレビジョン受像機にデータを伝送可能であるとともに、前記テレビジョン受像機に要求を送信可能なインタフェースと、
イベントを検出し、検出したイベントに対応して前記テレビジョン受像機に実行させる制御を指示する制御情報を少なくとも含む要求を前記伝送路を通じて前記テレビジョン受像機に送信するように制御を行う第１の制御部と
を具備する情報処理装置。
【０１０１】
（１３）上記（１２）に記載の情報処理装置であって、
前記第１の制御部は、
ユーザからの入力を受け付けることが可能な入力装置からの所定の入力を前記イベントとして検出し、前記伝送路を通じて前記テレビジョン受像機に前記イベントに関連するデータを伝送するように制御し、前記データを前記テレビジョン受像機での入力切替制御により選択中のデータとともに表示させることを指示する制御情報を含む要求を前記伝送路を通じて前記テレビジョン受像機に送信するように構成された
情報処理装置。
【０１０２】
（１４）上記（１２）に記載の情報処理装置であって、
前記第１の制御部は、
ユーザからの入力を受け付けることが可能な入力装置からの所定の入力を前記イベントとして検出し、前記検出したイベントに関連するデータと、このデータを前記テレビジョン受像機での入力切替制御により選択中のデータとともに表示させることを指示する制御情報を含む要求を前記伝送路を通じて前記テレビジョン受像機に送信するように構成された
情報処理装置。
【０１０３】
（１５）上記（１３）または（１４）に記載の情報処理装置であって、
前記イベントに関連するデータが、前記入力装置の操作に関するユーザインタフェース情報である
情報処理装置。
【０１０４】
（１６）上記（１２）ないし（１５）のいずれかに記載の情報処理装置であって、
前記第１の制御部は、
前記テレビジョン放送のチャンネルの切り替えに要する時間を前記伝送路を通じて前記テレビジョン装置より取得し、
前記データと前記テレビジョン受像機での入力切替制御により選択中のデータとが前記テレビジョン装置において表示されているとき、前記入力装置からのチャンネル切り替えのための入力を前記イベントとして検出した場合、前記時間をもとに、前記チャンネル切り替えが実行される間、前記テレビジョン放送の表示が割り当てられている画面領域に所定のアニメーションを表示させることを指示する制御情報を含む要求を前記伝送路を通じて前記テレビジョン装置に送信するように構成された
情報処理装置。
【０１０５】
（１７）上記（１２）ないし（１５）のいずれかに記載の情報処理装置であって、
前記情報処理装置から前記テレビジョン装置に前記伝送路を通じて伝送されるデータがゲーム画像のデータを含み、
前記第１の制御部は、
前記テレビジョン受像機での入力切替制御により前記情報処理装置からの前記ゲーム画像が前記テレビジョン装置において表示されているとき、前記入力装置からテレビジョン放送のデータを子画面で表示するための所定の入力が前記イベントとして検出された場合、前記ゲームのプレイに最も影響しない位置に前記子画面を表示することを指示する制御情報を含む要求を前記伝送路を通じて前記テレビジョン装置に送信するように構成された
情報処理装置。
【０１０６】
（１８）上記（１２）ないし（１５）のいずれかに記載の情報処理装置であって、
前記第１の制御部は、
前記情報処理装置の所定の第１の状態を前記イベントとして検出し、前記検出したイベントに関連するデータと、このデータを前記テレビジョン受像機での入力切替制御により選択中のデータとともに表示させることを指示する制御情報を含む要求を前記伝送路を通じて前記テレビジョン受像機に送信するように構成された
情報処理装置。
【０１０７】
（１９）上記（１２）ないし（１５）のいずれかに記載の情報処理装置であって、
前記第１の制御部は、
前記情報処理装置の所定の第２の状態をイベントとして検出し、この検出結果をもとに前記テレビジョン受像機での入力切替制御により選択中のデータの表示サイズを変更することを指示する制御情報を含む要求を前記伝送路を通じて前記テレビジョン受像機に送信するように構成された
情報処理装置。
【０１０８】
（２０）上記（１２）ないし（１５）のいずれかに記載の情報処理装置であって、
前記第１の制御部は、
前記情報処理装置の所定の第２の状態をイベントとして検出し、この検出結果をもとに前記テレビジョン受像機での入力切替制御により選択中のデータの音量を変更することを指示する制御情報を含む要求を前記伝送路を通じて前記テレビジョン受像機に送信するように構成された
情報処理装置。
【０１０９】
（２１）上記（１２）ないし（１５）のいずれかに記載の情報処理装置であって、
前記第１の制御部は、
前記テレビジョン装置の所定の第３の状態をイベントとして検出し、この検出結果をもとに前記テレビジョン受像機での入力切替制御により選択中のデータの表示サイズを変更することを指示する制御情報を含む要求を前記伝送路を通じて前記テレビジョン受像機に送信するように構成された
情報処理装置。
【０１１０】
（２２）上記（１２）ないし（１５）のいずれかに記載の情報処理装置であって、
前記第１の制御部は、
前記テレビジョン装置の所定の第３の状態をイベントとして検出し、この検出結果をもとに前記テレビジョン受像機での入力切替制御により選択中のデータの音量を変更することを指示する制御情報を含む要求を前記伝送路を通じて前記テレビジョン受像機に送信するように構成された
情報処理装置。
【０１１１】
（２３）伝送路を通じて、データを伝送可能であるとともに、要求を送信可能なインタフェースと、イベントを検出し、検出したイベントに対応して前記テレビジョン受像機に実行させる制御を指示する制御情報を少なくとも含む要求を前記伝送路を通じて前記テレビジョン受像機に送信するように制御を行う第１の制御部とを具備する情報処理装置の前記インタフェースに対応するインタフェースと、
前記受信した要求に含まれる前記制御情報に従って当該テレビジョン受像機の内部制御を行う第２の制御部と
を具備するテレビジョン受像機。
【０１１２】
（２４）テレビジョン受像機にデータを伝送路を通じて伝送し、イベントを検出したとき、検出したイベントに対応して前記テレビジョン受像機に実行させる制御を指示する制御情報を少なくとも含む要求を前記伝送路を通じて前記テレビジョン受像機に送信するように制御を行う第１の制御部
としてコンピュータを動作させるプログラム。
【０１１３】
（２５）情報処理装置とテレビジョン受像機とを具備し、
前記情報処理装置は、
伝送路を通じて、テレビジョン受像機にデータを伝送可能であるとともに、前記テレビジョン受像機に要求を送信可能なインタフェースと、
イベントを検出し、検出したイベントに対応して前記テレビジョン受像機に実行させる制御を指示する制御情報を少なくとも含む要求を前記伝送路を通じて前記テレビジョン受像機に送信するように制御を行う第１の制御部と
を具備し、
前記テレビジョン受像機は、
前記情報処理装置の前記インタフェースに対応するインタフェースと、
前記受信した要求に含まれる前記制御情報に従って当該テレビジョン受像機の内部制御を行う第２の制御部と
を具備する
情報処理システム。
【符号の説明】
【０１１４】
２０…コントローラ
３０…第１の伝送路
４０…第２の伝送路
７０…ＴＶリモコン
１００…情報処理装置
１０１…ＣＰＵ
１０５…データ送信インタフェース
１０７…要求送信インタフェース
２００…テレビジョン受像機
２０１…ＣＰＵ
２０５…放送受信部
２０６…データ受信インタフェース
２０７…要求受信インタフェース
２１０…ディスプレイ部
【図１】
2017208839.tif 000003
【図２】
2017208839.tif 000004
【図３】
2017208839.tif 000005
【図４】
2017208839.tif 000006
【図５】
2017208839.tif 000007
【図６】
2017208839.tif 000008
【図７】
2017208839.tif 000009
【図８】
2017208839.tif 000010
【図９】
2017208839.tif 000011
【図１０】
2017208839.tif 000012
【図１１】
2017208839.tif 000013
【国際調査報告】
2017208839.tif 000014
2017208839.tif 000015
2017208839.tif 000016
2017208839.tif 000017